(57)【要約】【課題】光学部材を確実に保護するとともに、装置全体を薄型化することができる光学ユニットおよび撮影装置を提供することを目的とする。【解決手段】光が通過する開口を有し、光学部材を内蔵した筐体と、筐体外面の、開口に隣接した隣接部に貼着されて、開口の、少なくとも隣接部に隣接した周辺領域を覆う支持片と、支持片の、筐体の内側の面に貼着された、光透過性のカバーとを備えた。筐体の開口に隣接した隣接部に支持片が貼着され、その支持片の、筐体の内側の面にカバーが貼着されるため、筐体とカバーとが重なり合わずに、筐体の開口の内側にカバーが配置されることとなり、光学ユニット全体を薄型化することができる。【選択図】        図５
2008250205.tif 000002
【特許請求の範囲】
【請求項１】
光が通過する開口を有し、光学部材を内蔵した筐体と、
前記筐体外面の、前記開口に隣接した隣接部に貼着されて、該開口の、少なくとも該隣接部に隣接した周辺領域を覆う支持片と、
前記支持片の、前記筐体の内側の面に貼着された、光透過性のカバーとを備えたことを特徴とする光学ユニット。
【請求項２】
前記隣接部が、該隣接部の周辺よりも段差を持って凹んだ形状を有し、
前記支持片は、凹んだ形状の前記隣接部外面に貼着されてなることを特徴とする請求項１記載の光学ユニット。
【請求項３】
前記支持片は、前記隣接部に貼着されて前記開口全面を覆う、光透過性の材料からなるものであることを特徴とする請求項１記載の光学ユニット。
【請求項４】
光が通過する開口を有し、光学部材を内蔵した筐体と、
前記筐体外面の、前記開口に隣接した隣接部に貼着されて、該開口の、少なくとも該隣接部に隣接した周辺領域を覆う支持片と、
前記支持片の、前記筐体の内側の面に貼着された、光透過性のカバーと、
前記光学部材を通過してきた被写体光を捉えて画像信号を生成する撮像部とを備えたことを特徴とする撮影装置。
【発明の詳細な説明】
【技術分野】
【０００１】
本発明は、光学部材を保持するカバーを備えた光学ユニット、および被写体を撮影する撮影装置に関する。
【背景技術】
【０００２】
近年、携帯電話などの小型機器に、被写体を撮影する撮影装置を内蔵することが広範に行われている。日ごろから常に携帯している小型機器に撮影装置が備えられることによって、デジタルカメラやビデオカメラを持ち運ぶ手間をかけずに、いつでも手軽に撮影を行うことができる。また、これらの小型機器には、無線や赤外線などを使ったデータ通信機能が予め搭載されていることが一般的であり、撮影した撮影画像をその場ですぐに他の携帯電話やパーソナルコンピュータなどに送ることができるという利点もある。
【０００３】
しかし、携帯電話などといった小型機器に内蔵される撮影装置は、通常のデジタルカメラと比較してかなり小型なために、ＣＣＤ（Ｃｈａｒｇｅ  Ｃｏｕｐｌｅｄ  Ｄｅｖｉｃｅ）撮像素子やＭＯＳ（Ｍｅｔａｌ  Ｏｘｉｄｅ  Ｓｅｍｉｃｏｎｄｕｃｔｏｒ）撮像素子（以下、これらを「撮像素子」と総称する）、レンズ、およびモータ等の大きさや、それらを収納するスペースが大幅に制限される。このため、これらの小型機器は、デジタルカメラの代替機器として用いられるには撮影機能や撮影画像の画質等が不十分であり、メモ替わりに画像を得る場合や、携帯電話等の待ち受け画面用の画像を得る場合などのように、高画質を要求されない撮影用に用途が限定されることが多い。
【０００４】
これらの点に関し、近年では、画素数の多い小型の撮像素子や、これに対応した小型レンズなどが開発されてきており、小型機器を使って撮影される撮影画像の高画質化が急速に進んでいる。さらに、省電力にレンズを駆動することができる小型のアクチュエータなども開発されてきており、小型機器にも、オートフォーカス機能やズーム機能などが搭載されてきている。このように、小型機器用の撮影装置は、画質面および撮影機能面においては、通常のデジタルカメラに近い程度にまで技術が向上してきており、今後は、さらなる小型化、防水性、耐衝撃性、操作性などに関する技術の開発が進められると考えられている。
【０００５】
図１は、撮影装置を幅方向に切断したときの切断図を示す図である。
【０００６】
尚、図１では、図の上方から被写体光が入射するものとし、図の上方を前、図の下方を後と称して説明する。
【０００７】
撮影装置１は、携帯電話機などに搭載されるものであり、筐体３０内に、レンズ４０や、レンズ４０を駆動するレンズ駆動機構（図示しない）などが収容されており、レンズ４０の結像面Ｍには、被写体光を受光して画像信号を生成する撮像素子（図示しない）が配備される。
【０００８】
筐体３０の前面には、被写体光が通過するための開口３０ａが設けられており、その開口３０ａを形成する開口部材３１の前面側に接着剤５０が塗布され、レンズ４０へのゴミの付着を防止するカバーガラス２０が貼り付けられている。
【０００９】
また、カバーガラス２０のさらに前面側には、筐体３０の開口３０ａに対応する位置に光透過性を有する透明部材１１が嵌め込まれたトップカバー１０が取り付けられている。
【００１０】
小型機器に搭載される撮影装置１では、携帯されて屋外などで使用されることが想定されており、筐体３０内のレンズ４０や撮像素子などを確実に防水する必要がある。この点に関し、特許文献１には、カバーガラス２０と筐体３０との間に、防水パッキンを挟み込んだ撮影装置について記載されている。この特許文献１に記載された撮影装置によると、この撮影装置が搭載された携帯電話等を雨の日に屋外で使用した場合などに、撮影装置内に水が入り込んでしまって撮影装置が故障してしまう不具合を回避することができる。
【特許文献１】特開２００５−２１５１５２号公報
【発明の開示】
【発明が解決しようとする課題】
【００１１】
ところで、携帯されることが多い小型機器においては、高さ方向や幅方向の小型化よりも、特に薄型化が求められている。しかし、撮影画像の画質に大きく影響し、すでに薄型化が図られているレンズ４０や撮像素子などをこれ以上薄くすることは困難なことであり、撮影画像の画質には影響が少ない筐体３０やトップカバー１０やカバーガラス２０など薄くしようとすると、撮影装置１全体の強度が劣化してしまうという問題がある。また、屋外で使用されることが多い撮影装置１では、レンズ４０や撮像素子を保護するためのトップカバー１０やカバーガラス２０を省くことができず、部品数を減らしたり、部品自体を薄型化することなく、撮影装置１全体を薄型化する技術の開発が求められている。
【００１２】
また、このような技術の開発は、レンズを保護するトップカバーやカバーレンズを備えた撮影装置のみに限定した問題ではなく、光学部材を保護するトップカバーやカバーレンズを備えた光学ユニットの分野で一般に求められる技術である。
【００１３】
本発明は、上記事情に鑑み、光学部材を確実に保護するとともに、装置全体を薄型化することができる光学ユニットおよび撮影装置を提供することを目的とする。
【課題を解決するための手段】
【００１４】
上記目的を達成する本発明の光学ユニットは、光が通過する開口を有し、光学部材を内蔵した筐体と、
筐体外面の、開口に隣接した隣接部に貼着されて、開口の、少なくとも隣接部に隣接した周辺領域を覆う支持片と、
支持片の、筐体の内側の面に貼着された、光透過性のカバーとを備えたことを特徴とする。
【００１５】
本発明の光学ユニットによると、筐体の開口に隣接した隣接部に支持片が貼着され、その支持片の、筐体の内側の面にカバーが貼着される。このため、筐体とカバーとが重なり合わずに、筐体の開口の内側にカバーが配置されることとなり、光学ユニット全体を薄型化することができる。
【００１６】
また、本発明の光学ユニットにおいて、上記隣接部が、隣接部の周辺よりも段差を持って凹んだ形状を有し、
上記支持片は、凹んだ形状の隣接部外面に貼着されてなることが好ましい。
【００１７】
筐体の、開口に隣接した隣接部に段差が設けられ、その凹んだ部分に支持片が貼着されることによって、筐体の強度の劣化を抑えて、光学ユニットをさらに薄くすることができる。
【００１８】
また、本発明の光学ユニットにおいて、上記支持片は、隣接部に貼着されて開口全面を覆う、光透過性の材料からなるものであることが好ましい。
【００１９】
携帯電話等に内蔵される撮影装置用の光学ユニットでは、筐体内に光学部材が収容され、その筐体の開口がカバーで覆われた後、さらに、そのカバーの前面全体がトップカバーで覆われることが一般的である。このトップカバーを支持片として利用することによって、新たな部品を追加せずに、光学ユニットの薄型化と光学部材の保護とを両立することができる。
【００２０】
また、上記目的を達成する本発明の撮影装置は、光が通過する開口を有し、光学部材を内蔵した筐体と、
筐体外面の、開口に隣接した隣接部に貼着されて、開口の、少なくとも隣接部に隣接した周辺領域を覆う支持片と、
支持片の、筐体の内側の面に貼着された、光透過性のカバーと、
光学部材を通過してきた被写体光を捉えて画像信号を生成する撮像部とを備えたことを特徴とする。
【００２１】
本発明の撮影装置によると、光学部材を確実に保護するとともに、装置全体を薄型化することができる。
【００２２】
尚、撮影装置については、ここではそれらの基本形態のみを示すのにとどめるが、これは単に重複を避けるためであり、本発明にいう撮影装置には、上記の基本形態のみではなく、前述した光学ユニットの各形態に対応する各種の形態が含まれる。
【発明の効果】
【００２３】
本発明によれば、光学部材を確実に保護するとともに、装置全体を薄型化することができる光学ユニットおよび撮影装置を提供することができる。
【発明を実施するための最良の形態】
【００２４】
以下、図面を参照して本発明の実施の形態を説明する。
【００２５】
図２は、本発明の一実施形態が適用された携帯電話の外観斜視図である。
【００２６】
図２（Ａ）には、携帯電話１００の前面図が示されている。携帯電話１００の前面には、メニュー画面や、撮影画像などが表示される液晶パネル１０１、内部にスピーカ（図３参照）が配備され、スピーカから発せられる音声を放つための送話口１０２、電話局を介して音声やメールなどのデータを送受信するための第１アンテナ１０３ａ、各種機能の選択や、撮影を行う際のシャッタボタンとして使用される選択ボタン１０４、電話番号を入力するためのプッシュボタン１０５、内部にマイクロフォン（図３参照）が配備され、声をマイクロフォンに伝えるための受話口１０６、ユーザが入力した電話番号などを確定する確定ボタン１０７、電源ボタン１０８、および電話局を介さずに、近距離用の無線通信によって画像やアドレス情報などを送受信するための第２アンテナ１０９ａが備えられている。
【００２７】
図２（Ｂ）には、携帯電話１００の背面図が示されている。携帯電話１００の背面には、撮影レンズ１００ａが嵌め込まれている。
【００２８】
図３は、携帯電話１００のブロック図である。
【００２９】
携帯電話１００の内部には、撮影装置２００、ＣＣＤ１１２、Ａ／Ｄ（Ａｎａｌｏｇ／Ｄｅｇｉｔａｌ）変換部１１３、マイクロフォン１２１、スピーカ１２２、インタフェース部１２０、第１アンテナ１０３ａ、第１送受信部１０３、入力コントローラ１３０、画像信号処理部１４０、ビデオエンコーダ１５０、画像表示装置１６０、第２アンテナ１０９ａ、第２送受信部１０９、メモリ１７０、ＣＰＵ１８０、メディアコントローラ１９０、および図１に示す選択ボタン１０４やプッシュボタン１０５などといった各種スイッチ１８１が具備されており、さらに、記録メディア１９０ａが接続されている。撮影装置２００は、本発明の撮影装置の一実施形態に相当し、ＣＣＤ１１２は、本発明にいう撮像部の一例に相当する。
【００３０】
ＣＰＵ１８０は、図３に示す携帯電話１００の各種要素に処理の指示を伝えて、各種要素を制御する。例えば、撮影を行う撮影モードが設定された状態で図２の選択ボタン１０４が押下されると、ＣＰＵ１８０から図３に示す各種要素に指示が与えられ、撮影が開始される。
【００３１】
撮影装置２００には、図２（Ｂ）にも示す撮影レンズ１００ａや、ＣＣＤ１１２で受光される被写体光の光量を調整するアイリス１１１などが備えられている。尚、本来、撮影装置２００には複数のレンズが配備されるが、この図３では、それら複数のレンズを撮影レンズ１００ａとして模式的に示している。撮影装置２００については、後で詳しく説明する。
【００３２】
図２（Ａ）の選択ボタン１０４が押下されて撮影が開始されると、ＣＣＤ１１２は、撮影レンズ１００ａおよびアイリス１１１を通ってきた被写体光を受光して、被写体光に基づく被写体像をアナログ信号である被写体信号として読み取る。ＣＣＤ１１２で生成された被写体信号は、Ａ／Ｄ変換部１１３でデジタルの撮影画像データに変換される。変換後の撮影画像データは、入力コントローラ１３０を介して画像信号処理部１４０に送られる。
【００３３】
画像信号処理部１４０では、画像データにＲＧＢレベルの調節、ガンマ調整等といった画像処理が施され、さらに、画像処理後の画像データに圧縮処理が施される。圧縮後の画像データは、一旦メモリ１７０に送られる。
【００３４】
メモリ１７０には、この携帯電話１００内で実行されるプログラムが記憶されたり、中間バッファとして用いられる記録速度が高速なＳＤＲＡＭ、各種メニュー画面用のデータや、ユーザの設定内容などが記憶されたデータ保存用のメモリであるＳＲＡＭ、圧縮された画像データが記憶されるＶＲＡＭが含まれている。ＶＲＡＭは、複数領域に分割されており、画像データが複数領域に順番に記憶され、記憶された画像データはビデオエンコーダ１５０やメディアコントローラ１９０に順次に読み出される。
【００３５】
ビデオエンコーダ１５０は、ＣＰＵ１８０からの指示に従って、メモリ１７０から圧縮後の画像データを取得し、圧縮後の画像データを、液晶パネル１０１で表示できるデータ形式に変換する。変換後の画像データは画像表示装置１６０に送られ、画像表示装置１６０によって、画像データが表す画像が液晶パネル１０１に表示される。メディアコントローラ１９０は、メモリ１７０に記憶された圧縮後の画像データを記録メディア１９０ａへ記録したり、記録メディア１９０ａに記録された画像データを読み出すためのものである。
【００３６】
また、図２（Ａ）に示すプッシュボタン１０５を使って電話番号が入力され、確定ボタン１０７が押下されると、電話番号が設定されて相手装置との通信が開始される。このとき、携帯電話１００の電話番号や入力された電話番号などの通信情報がＣＰＵ１８０から第１送受信部１０３に伝えられ、通信情報が電波に変換されてアンテナ１０３ａに伝えられ、アンテナ１０３ａから電波が発せられる。第１アンテナ１０３ａから発せられた電波は、建物や電柱などといった各所に設けられている共同アンテナ（図示しない）を介して電話局に伝わり、電話局で、指定された電話番号が割り当てられた相手装置との接続が確立される。
【００３７】
相手装置との接続が確立すると、ユーザが携帯電話１００に向けて発した声が、マイクロフォン１２１で集音され、集音された声がインタフェース部１２０で音声データを表わす電波に変換されて、第１送受信部１０３の第１アンテナ１０３ａによって相手装置に送信される。また、第１アンテナ１０３ａを介して受信された音声用の電波は、インタフェース部１２０で音声データに変換され、スピーカ１２２から音声として発せられる。第１送受信部１０３、第１アンテナ１０３ａでは、音声データだけではなく、電話番号の代わりにメールアドレスを使ってメールを表わすメールデータも送受信される。第１アンテナ１０３ａで受信されて、第１送受信部１０３でデジタル化されたメールデータは、入力コントローラ１３０によってメモリ１７０に記憶される。
【００３８】
また、この携帯電話１００には、電話局を介して他の携帯電話などといった相手装置と通信するための通信インタフェース（第１送受信部１０３、第１アンテナ１０３ａ）とは別に、電話局を介さずに、近距離用の無線通信によって通信するための無線通信インタフェース（第２送受信部１０９、第２アンテナ１０９ａ）も備えられている。近距離無線通信用の通信インタフェースとしては、赤外線通信やブルートゥース（Ｂｌｕｅｔｏｏｔｈ）などを適用することができる。本実施形態では、通信インタフェースとして赤外線通信が適用されており、他の携帯電話などから直接送信されてきた赤外線が第２アンテナ１０９ａで受信されると、その受信された赤外線に基づく電気信号が第２送受信部１０９でピックアップされて、デジタルのデータに変換される。逆に、外部装置にデータを送信するときには、第２送受信部１０９にデータが伝えられ、そのデータが第２送受信部１０９で電波に変換されて、第２アンテナ１０９ａから発せられる。
【００３９】
この第２アンテナ１０９ａで画像を表わす赤外線が受信されると、第２送受信部１０９では赤外線に基づく電気信号が画像データに変換される。変換された画像データは、撮影画像データと同様にして、画像表示装置１６０に送られて画像データが表わす画像が液晶パネル１０１に表示されたり、メディアコントローラ１９０を介して記録メディア１９０ａに記録される。
【００４０】
携帯電話１００は、基本的には以上のように構成されている。
【００４１】
続いて、撮影装置２００について詳しく説明する。
【００４２】
図４は、撮影装置２００の分解斜視図である。
【００４３】
以下では、図の左下から被写体光が撮影装置２００内に入射するものとして説明し、図の左下を前、図の右上を後と称して説明する。
【００４４】
撮影装置２００は、外装カバー２１０と後カバー２２０と下カバー２１３との間の空間内に、前方から順に、シャッタユニット２３０、レンズバレル２４０、レンズホルダ２５０、およびレンズ駆動部２６０などが収容されている。
【００４５】
後カバー２２０は、背面に、図３に示すＣＣＤ１１２が取り付けられており、前面には、画像形成に不要で発熱の元となる赤外線をカットするＩＲカットフィルタ２２１が取り付けられている。
【００４６】
レンズ駆動部２６０は、電圧の印加を受けて伸縮する圧電素子２６０ａと、圧電素子２６０ａの伸縮に伴って前後方向に移動するガイド棒２６０ｂとで構成されている。
【００４７】
レンズバレル２４０は、内部に図３に示す撮影レンズ１００ａが収容されており、上部と下部それぞれにＶ溝２４０ａ,２４０ｂが設けられている。レンズバレル２４０は、本発明にいう光学部材の一例に相当する。
【００４８】
シャッタユニット２３０は、図３に示すアイリス１１１が内蔵されており、ねじ２４４によってレンズホルダ２５０に固定されている。
【００４９】
外装カバー２１０には、被写体光が通過する開口２１０ｃと、ねじ２９０が螺入されるねじ孔２１０ａと、ガイド棒２６０ｂが貫通するガイド孔２５０ｂが設けられている。外装カバー２１０の前面には、撮影装置２００内にゴミ等が入り込んでしまう不具合を回避するための前面カバー２１１と、支持片２１０ｄとが貼り付けられ、さらに、開口２１０ｃの内側には、レンズバレル２４０を防塵するカバーガラス２１２が配備されている。外装カバー２１０は、本発明にいう筐体の一例にあたり、開口２１０ｃは、本発明にいう開口の一例に相当する。また、支持片２１０ｄは、本発明にいう支持片の一例にあたり、カバーガラス２１２は、本発明にいうカバーの一例に相当する。
【００５０】
レンズホルダ２５０には、外装カバー２１０のねじ孔２１０ａに連通するねじ孔２５０ａと、ガイド棒２６０ｂが貫通するガイド孔２５０ｂとが設けられており、側面に、レンズ位置検出用のセンサ２７０と検出回路２８０が取り付けられている。
【００５１】
撮影装置２００を組み立てる際には、まず、外装カバー２１０にトップカバー２１１と支持片２１０ｄが貼り付けられ、支持片２１０ｄにカバーガラス２１２が貼り付けられ、レンズホルダ２５０の側面にセンサ２７０と検出回路２８０が取り付けられ、シャッタユニット２３０がレンズバレル２４０に固定される。
【００５２】
次に、レンズバレル２４０の上側のＶ溝２４０ａとレンズホルダ２５０のロッド穴２５０ｃに回転止めのロッド２５１が嵌め込まれる。また、駆動ホルダ２６２が後カバー２２０の貫通孔２２０ａに嵌め込まれ、レンズ駆動部２６０が駆動ホルダ２６２に保持される。この時点で、レンズ駆動部２６０は、後端が後カバー２２０に対して固定されている。
【００５３】
続いて、レンズバレル２４０の下側のＶ字溝２４０ｂに第１のプレート２４２が装着され、レンズ駆動部２６０のガイド棒２６０ｂが、間にシリコンゴム２６１を挟んでレンズホルダ２５０のガイド孔２５０ｂに挿し込まれるとともに、第１のプレート２４２を間に挟んでレンズバレル２４０のＶ字溝２４０ｂに嵌め込まれる。さらに、第１のプレート２４２との間にガイド棒２６０ｂを挟んで第２のプレート２４３が装着され、その第２のプレート２４３を上方向に付勢する板ばね２４１が装着される。第１のプレート２４２および第２のプレート２４３がガイド棒２６０ｂを挟みこみ、板ばね２４１が第１のプレート２４２および第２のプレート２４３をガイド棒２６０ｂに向けて付勢することによって、第１のプレート２４２および第２のプレート２４３はガイド棒２６０ｂに摩擦係合されている。板ばね２４１は、本発明にいう付勢部材の一例に相当する。この時点で、レンズ駆動部２６０のガイド棒２６０ｂは、レンズホルダ２５０によって位置が規制されており、ガイド棒２６０ｂを介して、レンズバレル２４０はレンズホルダ２５０によって間接的に支持されている。
【００５４】
ガイド棒２６０ｂの先端は、外装カバー２１０のガイド孔２１０ｂに挿し込まれる。ガイド孔２１０ｂは、ガイド棒２６０ｂの外形よりも大きく形成されており、ガイド棒２６０ｂの位置や移動を妨げないように設計されている。
【００５５】
最後に、外装カバー２１０のねじ孔２１０ａとレンズホルダ２５０のねじ孔２５０ａにねじ２９０が螺入されて、レンズホルダ２５０が外装カバー２１０に固定され、後カバー２２０と下カバー２１３が外装カバー２１０に接着される。
【００５６】
以上のようにして撮影装置２００が組み立てられる。
【００５７】
カバーガラス２１２を通って入射してきた被写体光は、シャッタユニット２３０、レンズバレル２４０、およびＩＲカットフィルタ２２１を通って、後カバー２２０の背面に取り付けられたＣＣＤ１１２で受光される。尚、オートフォーカス機能やズーム機能を実行する際には、図３に示すＣＰＵ１８０によって圧電素子２６０ａに鋸状電圧が印加され、圧電素子２６０ａが伸縮される。圧電素子２６０ａがゆっくりと伸縮すると、ガイド棒２６０ｂがレンズホルダ２５０のガイド孔２５０ｂに沿ってゆっくりと移動し、ガイド棒２６０ｂと間接的に摩擦係合したレンズバレル２４０がガイド棒２６０ｂとともに移動する。また、圧電素子２６０ａが高速に伸縮すると、ガイド棒２６０ｂも高速に移動するが、レンズバレル２４０は質量の慣性によって同じ位置に留まる。圧電素子２６０ａに鋸状電圧を繰り返し印加することによって、レンズバレル２４０を細かなピッチで間欠的に移動させることができ、消費電力を抑えてオートフォーカス機能やズーム機能を実現することができる。
【００５８】
ここで、本実施形態の撮影装置２００では、カバーガラス２１２が外装カバー２１０の開口２１０ｃ内に配備されることによって、装置全体の薄型化が図られている。
【００５９】
図５は、撮影装置２００を幅方向に切断したときの切断図を示す図である。
【００６０】
尚、図５では、図の上方から被写体光が入射するものとし、図の上方を前、図の下方を後と称して説明する。
【００６１】
図５に示すように、トップカバー２１１の、外装カバー２１０の開口２１０ｃに対向する部分には、光透過性を有する透明部材２１１ａが嵌め込まれており、トップカバー２１１は、外装カバー２１０内の部品を保護している。また、外装カバー２１０には、開口２１０ｃに近い部分に段差２１０ｅが設けられており、開口２１０ｃの外周部分Ｑ１は、周辺よりも凹んでいる。段差２１０ｅは、本発明にいう段差の一例にあたり、外周部分Ｑ１は、本発明にいう隣接部の一例に相当する。
【００６２】
支持片２１０ｄは、裏面全体に両面テープが貼られており、外装カバー２１０の外周部分Ｑ１に貼着されている。また、支持片２１０ｄは、端部分Ｑ２が外装カバー２１０の開口２１０ｃを覆っている。外装カバー２１０に設けられた開口２１０ｃ内の、端部分Ｑ２に対応する部分は、本発明にいう周辺部分の一例に相当する。
【００６３】
カバーガラス２１２は、外形Ｗ１が外装カバー２１０の開口２１０ｃの孔径Ｗ２よりも小さく、支持片２１０ｄの裏面に貼り付けられた両面テープによって、開口２１０ｃの内側に貼着されている。
【００６４】
このように、本実施形態の撮影装置２００によると、カバーガラス２１２が外装カバー２１０の開口２１０ｃ内に貼着されているため、部品を減らしたり、部品自体を薄型化せずに、装置全体を薄型化することができる。また、外装カバー２１０に段差２１０ｅを設けて、凹んだ外周部分Ｑ１に支持片２１０ｄを貼り付けることによって、装置全体の強度の劣化を抑え、装置全体をさらに薄くすることができる。
【００６５】
ここで、同じ厚さの外装カバー２１０（図１の筐体３０）、カバーガラス２１２（図１のカバーガラス２０）、レンズバレル２４０（図１のレンズ４０）を使用し、図１に示す従来の撮影装置１、および図５に示す本実施形態の撮影装置２００を組み立てて、トップカバー２１１（図１のトップカバー１０）を除いた最前面から結像面Ｍまでの高さｈ,ｈ１を計測した。尚、カバーガラス２１２（図１のカバーガラス２０）は、厚さが０．８ｍｍのものを使用した。その結果、図１に示す従来の撮影装置１では、高さｈ１が９．３１ｍｍであったのに対し、図５に示す本実施形態の撮影装置２００では、高さｈが９．０５ｍｍであった。本実施形態の撮影装置２００では、図１に示す従来の撮影装置１と比べて、カバーガラス２１２の厚さ（０．８ｍｍ）と接着剤の厚さ（約０．０１ｍｍ）の分だけ薄型化することができた。
【００６６】
以上で、本発明の第１実施形態の説明を終了し、本発明の第２実施形態について説明する。本発明の第２実施形態は、図５に示す本発明の第１実施形態と、外装カバーの形状が異なっており、それ以外はほぼ同様の構成を有しているため、第１実施形態と同じ部品については同じ符号を付して説明を省略し、第１実施形態との相違点についてのみ説明する。
【００６７】
図６は、本発明の第２実施形態の撮影装置３００を幅方向に切断したときの切断図を示す図である。
【００６８】
本発明の第２実施形態の撮影装置３００は、図５に示す本発明の第１実施形態の撮影装置２００とほぼ同様の構成を有しているが、本実施形態の撮影装置３００では、トップカバー２１１の後面側に両面テープ４００が貼り付けられており、その両面テープ４００によって、外装カバー２１０´の段差２１０ｆにトップカバー２１１が貼着され、さらに、トップカバー２１１の、外装カバー２１０´の開口２１０ｃ´を覆っている部分にカバーガラス２１２が貼着されている。トップカバー２１１は、本発明にいう支持片の一例に相当する。
【００６９】
図７は、撮影装置３００を前面側から見たときの、トップカバー２１１、カバーガラス２１２、および外装カバー２１０´の位置関係を示す図である。
【００７０】
図７は、トップカバー２１１には、外側部分２１１＿２から内側部分２１１＿１までの間の接着領域Ｐに両面テープ４００が貼り付けられている。この接着領域Ｐの、外側部分２１１＿２から外装カバー２１０´の開口２１０ｃ´までの間の領域によって、トップカバー２１１が外装カバー２１０´に貼着されている。また、本実施形態においても、カバーガラス２１２の外形は、外装カバー２１０´の開口２１０ｃ´の孔径よりも小さく、接着領域Ｐの、カバーガラス２１２の外周位置２１２から内側部分２１１＿１までの間の領域によって、カバーガラス２１２がトップカバー２１１に貼着されている。その結果、カバーガラス２１２は、外装カバー２１０´の開口２１０ｃ´の内側に配備されることとなる。
【００７１】
このように、トップカバー２１１にカバーガラス２１２を貼り付け、そのトップカバー２１１を外装カバー２１０´に貼り付けることによって、図５に示す支持片２１０ｄを別に設ける必要がなく、部品点数を減らすことができる。
【００７２】
ここで、上記では、撮像部としてＣＣＤを備える例について説明したが、本発明にいう撮像部は、ＭＯＳセンサなどであってもよい。
【００７３】
また、上記では、カバーガラスでレンズを防塵する例について説明したが、本発明にいう光学部材は、例えば、撮像素子などであってもよく、本発明にいうカバーは、撮像素子へのゴミの付着を防止するカバーなどであってもよい。
【００７４】
また、上記では、本発明の撮影装置を携帯電話に搭載する例について説明したが、本発明の撮影装置は、小型のデジタルカメラなどであってもよい。
【図面の簡単な説明】
【００７５】
【図１】撮影装置を幅方向に切断したときの切断図を示す図である。
【図２】本発明の一実施形態が適用された携帯電話の外観斜視図である。
【図３】携帯電話のブロック図である。
【図４】撮影装置の分解斜視図である。
【図５】撮影装置を幅方向に切断したときの切断図を示す図である。。
【図６】本発明の第２実施形態の撮影装置を幅方向に切断したときの切断図を示す図である。
【図７】撮影装置を前面側から見たときの、トップカバー、カバーガラス、および外装カバーの位置関係を示す図である。
【符号の説明】
【００７６】
１００    携帯電話
１０１    液晶パネル
１０２    送話口
１０３ａ    第１アンテナ
１０４    選択ボタン
１０５    プッシュボタン
１０６    受話口
１０７    確定ボタン
１０８    電源ボタン
１０９ａ    第２アンテナ
１１２    ＣＣＤ
１１３    Ａ／Ｄ変換部
１２０    インタフェース部
１２１    マイクロフォン
１２２    スピーカ
１３０    入力コントローラ
１４０    画像信号処理部
１５０    ビデオエンコーダ
１６０    画像表示装置
１７０    メモリ
１８０    ＣＰＵ
１８１    た各種スイッチ
１，２００，３００    撮影装置
２１０    外装カバー
２１３    下カバー
２２０    後カバー
２３０    シャッタユニット
２４０    レンズバレル
２５０    レンズホルダ
２６０    レンズ駆動部
２６０ａ    圧電素子
２６０ｂ    ガイド棒
２１０ａ,２５０ａ    ねじ孔
２１０ｂ,２５０ｂ    ガイド孔
４００    両面テープ
【図１】
2008250205.tif 000003
【図２】
2008250205.tif 000004
【図３】
2008250205.tif 000005
【図４】
2008250205.tif 000006
【図５】
2008250205.tif 000007
【図６】
2008250205.tif 000008
【図７】
2008250205.tif 000009